(57)【特許請求の範囲】
【請求項１】
映像機器であって、
放送を受信する放送受信部と、
設定項目と設定内容とを含む設定情報を記憶する設定情報記憶部と、
前記放送受信部が受信した放送及び前記設定情報を表示するユーザインターフェース部と、
外部機器と通信を行い、前記映像機器が前記外部機器へ接続した場合に、前記外部機器に設定された、設定項目と設定内容とを含む外部設定情報を受信するネットワークインターフェース部と、
前記外部設定情報の設定項目と、前記設定情報の設定項目とを比較して、同じ設定項目を抽出し、抽出された設定項目について、前記外部設定情報の設定内容と前記設定情報の設定内容とを比較して、両者の設定内容に差異がある場合に、前記差異があることをユーザに提示する情報を前記ユーザインターフェース部へ出力する設定情報同期部と、
を有することを特徴とする映像機器。
【請求項２】
映像機器であって、
放送を受信する放送受信部と、
設定項目と設定内容とを含む設定情報を記憶する設定情報記憶部と、
前記放送受信部が受信した放送及び前記設定情報を表示するユーザインターフェース部と、
外部機器と通信を行い所定の時間が経過する毎に、前記外部機器に設定された設定項目と設定内容とを含む外部設定情報を受信するネットワークインターフェース部と、
前記外部設定情報の設定項目と、前記設定情報の設定項目とを比較して、同じ設定項目を抽出し、抽出された設定項目について、前記外部設定情報の設定内容と前記設定情報の設定内容とを比較して、両者の設定内容に差異がある場合に、前記差異があることをユーザへ提示する情報を前記ユーザインターフェース部へ出力する設定情報同期部と、
を有することを特徴とする映像機器。
【請求項３】
前記映像機器において、
前記ネットワークインターフェース部は、前記設定情報の前記設定項目と前記外部設定情報の設定項目との機器間互換性を示す互換性情報を保持した第二の外部機器から前記互換性情報を受信し、
前記設定情報同期部は、前記互換性情報をもとに前記設定情報の設定項目と前記外部設定情報の設定項目とのうち互換性のある設定項目を抽出し、設定内容を比較すること、
を特徴とする請求項１または２に記載の映像機器。
【請求項４】
前記映像機器において、
ユーザの指示または予め設定された情報をもとに、前記映像機器を含めた１つあるいは複数の外部機器間でグループを形成するグループ形成部を有し、
前記ネットワークインターフェース部は、前記グループ形成部が形成したグループに含まれる外部機器からのみ外部設定情報を受信すること、
を特徴とする請求項１または２に記載の映像機器。
【請求項５】
前記映像機器において、
前記設定情報同期部が、前記設定情報の設定内容と前記外部設定情報の設定内容との間で差異があることをユーザへ提示する場合に、前記設定情報の設定内容と、前記外部設定情報の設定内容と、のどちらに前記差異のある設定内容を合わせるべきかを前記ユーザインターフェース部によりユーザが選択可能なように提示し、ユーザによって前記外部設定情報の設定内容に合わせることを選択された場合は、前記外部設定情報の設定内容を、前記設定情報の設定内容を変更すること、
を特徴とする請求項１または２に記載の映像機器。
【請求項６】
前記映像機器において、
前記設定情報同期部は、前記設定情報において設定内容が未設定の設定項目があり、前記未設定の設定項目と同じ設定項目について前記外部設定情報に設定内容が設定されている場合は、前記未設定の設定項目の設定内容を、前記外部設定情報の同じ設定項目の設定内容とすること、
を特徴とする請求項１または２に記載の映像機器。
【請求項７】
前記映像機器において、
前記映像機器に複数の外部機器が接続されている場合に、
前記設定情報同期部は、前記設定情報の設定項目と前記複数の外部機器の各々の外部設定情報の設定項目との間で同じ設定項目を抽出して前記同じ設定項目に関する設定内容を比較し、
異なる設定内容が複数の外部設定情報から得られた場合には、最も多く設定されていた設定内容を、前記設定情報の設定内容とし、
同じ設定項目に対して最も多い設定内容が複数ある場合には、前記最も多い設定内容を前記ユーザインターフェース部へ出力し、ユーザによって選択された設定内容を、前記設定情報の設定内容とすること、
を特徴とする請求項１または２に記載の映像機器。
【請求項８】
前記映像機器において、
前記映像機器に複数の外部機器が接続されている場合に、
前記ネットワークインターフェース部は、ユーザによって設定または予め設定された親機器である外部機器から前記外部設定情報を受信すること、
を特徴とする請求項１または２に記載の映像機器。
【請求項９】
前記映像機器において、
前記設定情報同期部は、前記差異があることをユーザへ提示する情報を前記ユーザインターフェース部へ出力した場合に、ユーザにより設定または予め設定された設定項目に対してのみ、前記外部設定情報の設定内容を、前記設定情報の設定内容とすること、
を特徴とする請求項１または２に記載の映像機器。
【請求項１０】
前記映像機器において、
前記放送受信部または前記ネットワークインターフェース部から受信したコンテンツを録画する録画機能を備え、
前記設定情報は、録画されたコンテンツを管理するためのフォルダの構成を含むこと、
を特徴とする請求項１または２に記載の映像機器。
【請求項１１】
前記映像機器において、
前記設定情報は、前記放送受信部または前記ネットワークインターフェース部から受信するコンテンツの受信チャンネル、前記コンテンツのエリアコード、ユーザの氏名、居住地、を表す情報のうち少なくともひとつを含むこと、
を特徴とする請求項１または２に記載の映像機器。
【発明の詳細な説明】
【技術分野】
【０００１】
本発明は、放送等を受信してユーザに映像を提供する映像機器において、機器の導入時における初期設定または運用途中での設定変更をする際、前記設定をネットワーク接続した他の機器と共有することにより、機器毎の前記設定操作を省略し使い勝手を向上させる技術に関わる。
【背景技術】
【０００２】
デジタル放送やインターネットによる映像配信、あるいはホームネットワークの普及によるユーザの視聴形態の変化に合わせて、視聴者個々のニーズに対応した番組の提供や機器機能が提供されている。
例えば放送番組では、映像配信を行う事業者は視聴者がより便利に、より楽しく映像サービスを利用できるようにするために、視聴者参加型のテレビショッピングやクイズ等の双方向番組、あるいは地域の天気予報やローカルニュース、そしてドラマの字幕などの付加情報をデータ放送で提供している。
【０００３】
また宅内では、映像機器がホームネットワークに対応することによって、大量にハードディスクレコーダやパソコンに蓄積した放送映像やデジカメ写真などのデジタルコンテンツを、好きな時にホームネットワークを介して宅内に配信することが可能になる（例えば、離れた部屋にあるレコーダでも、このレコーダに蓄積された映像をネットワーク越しに別の部屋で視聴するといった使い方）（例えば非特許文献１）。
【０００４】
さらに、電子番組表と検索機能による所望番組の簡単録画予約や、録画映像のユーザ毎やジャンル毎の振り分け管理なども機器の使い勝手向上のために提供されている。
ただし、このような各種の機能を利用する際には、それぞれの機能で必要とされる情報をユーザが予め設定する必要がある。それは例えば、双方向番組やデータ放送の受信では、氏名や住所、郵便番号、生年月日、性別であり、また宅内での映像配信で無線ＬＡＮを利用する際は、盗聴を防止するために使用するＷＥＰ（Ｗｉｒｅｄ  Ｅｑｕｉｖａｌｅｎｔ  Ｐｒｉｖａｃｙ）キーなどである。さらに、上記のような映像サービスや宅内ネットワーク配信に関わる設定以外に、放送受信機能に関わる設定（受信可能なチャンネルの検索と設定など）、ディスプレイの色味や音声モードの選択、さらに電子番組表から番組を検索する際のジャンル設定などもある（例えば非特許文献２）。
【０００５】
通常これらの各種設定は前述の通り、製品購入後にユーザが取り扱い説明書を参照したり、またはビデオガイダンスや簡易設定機能などの手助けを借りて、機器毎に設定している。さらに今後、放送サービスや機器同士の連携が増加すれば、このような各種の設定は、益々増加していく可能性がある。
そのため、機器を新しく購入する度にこのような各種の設定を行うのは煩雑となるため、このような手間を軽減するアイデアが検討されている（例えば特許文献１）。
【０００６】
【特許文献１】特開２００３−２７４３０５号公報
【非特許文献１】DLNA Home Networked Device Interoperability Guidelines v1.0
【非特許文献２】日立ハイビジョンＨＤＤ／ＤＶＤレコーダ ＤＶ−ＤＨ１０００Ｗ 取り扱い説明書「接続・設定編」ｐ．３８および「操作編」Ｐ．３２
【発明の開示】
【発明が解決しようとする課題】
【０００７】
解決しようとする問題点は、映像機器がユーザのニーズに答えて機能を多彩にして行くことに相反して、初期導入時または機器構成の変更などに伴う機能設定の操作が煩雑になることである。
本発明はこのような問題点に鑑み成されたものであり、宅内にネットワークに接続された既存の映像機器があるとき、新しい映像機器をネットワークに追加すると、新設した映像機器が前記既設の多種類の映像機器に設定済みの各種設定情報をネットワークを介して取り寄せ、参照することを可能にし、それらの設定の中から新設映像機器に必要となる同様の種類の設定情報を探索または抽出し、例えばユーザからの簡単な指示を受けるか、あるいは自動的に判断することによって、新設映像機器の設定をユーザの煩雑な手間を要さずに実行できるように使い勝手を向上させることにある。
【課題を解決するための手段】
【０００８】
本発明は、放送の受信機能を有した映像機器における上記課題を解決するために、放送受信機能と、前記放送受信機能に関わる受信チャンネルやエリアコードを含む項目及びユーザに関わる氏名や居住地を表す情報を含む項目を含む各種項目について、各項目毎に設定情報を記憶する記憶機能と、前記設定情報の表示及び設定のためのユーザインターフェース機能と、前記各機能と同等の機能を有する多種類の外部機器と通信を行うためのネットワーク機能とを有する映像機器において、前記映像機器が前記ネットワーク機能を介して前記外部機器へ接続したとき、前記映像機器が前記外部機器の記憶機能に記憶された各項目毎の設定情報を前記ネットワーク機能を介して取り寄せる手段と、前記外部機器の記憶機能に記憶されている設定情報と、自分自身の記憶機能に記憶されている設定情報とを比較する手段と、同じ設定項目を探索または抽出する手段と、抽出された同じ設定項目に対する設定内容が未設定を含め異なることを検出する手段と、自分自身が保持している設定情報の一部または全部が前記外部機器に記憶されている設定情報と異なることを示すメッセージをユーザへ提示する設定情報同期手段とを有するように構成した。
【０００９】
また、本発明は、前記映像機器が前記ネットワーク機能を介して前記外部機器へ接続したときまたは予め設定された時間間隔で、前記映像機器が前記外部機器の記憶機能に記憶された各項目毎の設定情報を前記ネットワーク機能を介して取り寄せる手段を有するように構成し、最新の設定情報に更新するためのメッセージをユーザへ提示するようにした。
また、本発明は、前記映像機器が前記ネットワーク機能を介して前記外部機器へ接続したとき、前記ネットワークを介して前記設定情報の機器間互換性を示す互換性情報を保持した第二の外部機器と接続する手段と、前記抽出された同じ設定項目の機器間互換性を示す互換性情報を前記第二の外部機器から入手し前記互換性情報をもとに前記同じ設定項目のうち互換性のある設定項目にのみ設定内容が異なることを検出する手段と、自分自身が保持している設定情報の一部または全部が前記外部機器に記憶されている設定情報と異なることを示すメッセージをユーザへ提示する設定情報同期手段とを有するように構成し、互換性のある設定項目のみが対象になるようにした。
また、本発明は、前記映像機器の前記ユーザインターフェース機能がユーザの指示または予め設定された情報をもとに、前記映像機器を含めた１つあるいは複数の外部機器間でグループを形成する手段を有するように構成し、前記グループ内の設定項目のみが対象になるようにした。
【００１０】
また、本発明は、前記映像機器において、前記設定情報同期手段が外部機器との間で設定情報の差異を検出したことをメッセージによりユーザへ提示するとき、前記設定情報同期手段が差異のあった設定情報について、自分自身あるいは外部機器のどちらに合わせるべきか、前記ユーザインターフェース機能によりユーザが選択可能なようにメッセージを提示し、ユーザによって選択された設定情報を自分自身の設定情報を記憶する記憶機能へ反映するように構成した。
また、本発明は、前記映像機器において、前記設定情報同期手段が外部機器との間で設定情報の差異を検出する際に、前記設定情報同期手段が自分自身の設定情報を記憶する記憶機能において未設定の項目を検出し、前記未設定の項目をメッセージでユーザに提示し、前記未設定の項目に対して、前記外部機器の設定情報を記憶する記憶機能に設定されている同じ設定項目の情報を自動的に反映するように構成した。
【００１１】
また、本発明は、前記ネットワーク機能を介して接続された外部機器が複数あり、前記設定情報同期手段が、前記同じ設定項目を複数抽出した場合には、前記同じ設定項目の設定情報を多数決で１つに絞り込み、ユーザの選択指示または未設定の項目に対して前記絞り込まれた設定情報を自分自身の設定情報を記憶する記憶機能に自動的に反映するように構成した。
また、本発明は、前記ネットワーク機能を介して接続された外部機器が複数ある場合に、ユーザの指示または予め設定された情報をもとに親機器として設定された特定の外部機器からだけ、設定情報を取り寄せるように構成した。
また、本発明は、前記設定内容が異なることを検出した際、差異のあった設定情報のうちユーザの指示または予め設定された許可された設定項目に対してだけ、外部機器に記憶されている設定情報を自分自身の設定情報を記憶する記憶機能へ反映するように構成した。
また、本発明は、録画機能を備えた前記映像機器において、前記設定情報は録画されたコンテンツを管理するためのフォルダの構成を含むように構成した。
【発明の効果】
【００１２】
本発明によれば、新規あるいは構成の変更により、映像機器に新たに設定が必要となる各種の設定情報を、ネットワークで相互に接続された既存の機器から簡単に参照、複写することが可能となるので、設定のミスや情報入力の煩わしさを軽減することが可能となり、機器の使い勝手が向上する。
【発明を実施するための最良の形態】
【００１３】
映像機器の初期導入時、または機器構成の変更（たとえば引越しをした場合）に伴う機器設定情報の設定操作が、前記機器の機能増加や同様の設定を必要とする映像機器の所有台数の増加により煩雑となることを軽減するという目的を、すでに所望の機器設定を済ませている他の機器から、ネットワーク接続を介して参照する手法によりユーザの利便性の向上を実現した。
以下、本発明の詳細を図示した各実施例によって説明する。
【実施例１】
【００１４】
図１は、本発明の第一実施例に係わる映像機器の構成図である。本実施例は、ユーザ３がホームネットワーク４との接続機能を備えた映像機器１と、もう一つ別の既存の映像機器（以下、外部機器Ａ５）を所有しており、ユーザ３は前記映像機器１を新しく購入したので、これを前記外部機器Ａ５と同じように利用できるように初期設定を始めるところである。
【００１５】
図１において、１は映像機器、２は放送局、３はユーザで、後述のユーザインターフェース部１０３に表示される映像の視聴（放送視聴１２３）と、映像機器１の各種設定や画面表示されるメニューの操作入力（機器操作１２４）などを行う。４はホームネットワーク、５はユーザ３がすでに初期設定など当該機器の運用に必要な各種の設定を済ませている外部機器Ａ、１０１は前記放送局２から電波やケーブルにより送信された番組を放送１２０として受信する放送受信部、１０２は図示しないユーザの指定により放送受信部１０１で選局した放送番組である放送情報１２１の内、映像部分を複号するなどの処理する映像放送処理部、１０３は前述の映像放送処理部１０２から出力される映像部分を映像１２２として受け取りを表示したり、あるいはユーザ３が機器を操作するためのメニュー、あるいは後述のデータ放送においてユーザがインタラクティブに放送を利用するためのユーザインターフェース部、１０４は映像機器１が持つ諸機能や様々な放送サービスを利用するために必要となる情報を記憶しておくための設定情報記憶部であり、情報の設定は必要に応じてユーザ３がユーザインターフェース部１０３からユーザの住所等を記したユーザ情報１２５、あるいは録画フォルダや画質と言った機器の設定を記した機器設定情報１３６として入力される。
【００１６】
１０５は図示しないユーザの指定により放送受信部１０１で選局した放送情報１２１の内、天気予報１２６や双方向番組１２７などデータ情報を扱う番組について、例えば図２あるいは図３に示すように、メニュー選択用のボタン表示付きの画像を生成し、これらをユーザインターフェース部１０３に出力するデータ放送処理部であり、例えば天気予報１２６では前述の設定情報記憶部１０４に設定された郵便番号をユーザ情報１２５として取り出し（図２では「２４４」）、ユーザ３が居住する地域（図２では「横浜市戸塚区」の予報を表示する。
【００１７】
１０６は前述のデータ放送による双方向番組１２７において、ユーザ３の操作と放送局２をＡＤＳＬ（Asymmetric Digital Subscriber Line）や電話回線で接続するための通信制御部で、ユーザインターフェース部１０３に表示された各種の選択操作やサービスの申し込みに必要な情報の入力を、ユーザ３が機器操作１２４により行った結果を、入力選択情報１２８として受け取り、また合わせてユーザ情報１２５も必要に応じて設定情報記憶部１０４から取り出し、これらの情報を前述の放送局２へ送信し、折り返し放送局２から送信される次の選択要求指示等の応答情報１２９を受信し、これをユーザインターフェース部１０３へ出力する。図３はクイズの双方向番組を放送受信部１０１で受信し、ユーザ３が機器操作１２４により各クイズに回答を入力し終え、放送局へ回答を送信する直前を示しており、ここで氏名や住所、電話番号は前記ユーザ情報１２５をデータ放送処理部１０５が予め設定情報記憶部１０４から取り寄せて表示したものである。
【００１８】
１０７は設定情報同期部で、映像機器１を後述のネットワークインターフェース部１０８を介してホームネットワーク４へ接続した際、図示しないユーザ３の指示またはネットワークへの接続を自動的で検出し、ホームネットワーク４に接続された外部機器Ａ５に対して、外部機器Ａ５に設定済みの設定情報を出力するように要求する情報要求１３０を出力し、またこれに対する外部機器Ａ５からの応答である外部設定情報１３１を受信する。一方、前述の設定情報記憶部１０４に記憶しているユーザ情報や機器設定情報を同期用ユーザ情報１３２および同期用機器設定情報１３３として取り出し、これらの情報と前述の外部設定情報１３１を後述する設定情報比較部１１０において比較し、比較結果に対してユーザ３の指示または自動で外部設定情報１３１の情報を、前述の同期用ユーザ情報１３２または同期用機器設定情報１３３へ反映し、これらを設定情報記憶部１０４に格納することにより、外部機器Ａ５の設定情報を映像機器１へ反映する。
【００１９】
１０８は映像機器１をホームネットワーク４へ接続するためのネットワークインターフェース部、１０９は前述の設定情報同期部１０７において、映像機器１がホームネットワーク４へ接続した際に、これを検出し自動またはユーザ３の指示によってネットワークインターフェース部１０８を介して、ホームネットワーク４に接続された他の機器（外部機器Ａ５）へ同機器が保持している設定情報を送信するように要求する情報要求１３０の送信、また情報要求１３０に応じて外部機器Ａ５が送信してきた外部設定情報１３１を受信し、これを後述の設定情報比較部１１０へ出力する設定情報取得部である。
１１０は設定情報取得部１０９から外部設定情報１３１を受信し、また前述したように同期用ユーザ情報１３２と同期用機器設定情報１３３を取り寄せ、これらを比較し、例えば同期用ユーザ情報１３２に含まれる設定項目の内、まだユーザ３による設定が行われていない未設定項目を検出し、この未設定項目と同じ項目の設定情報を前述の外部設定情報１３１から探索し、該当する情報を発見した場合は、この情報を設定情報比較結果１３４としてユーザインターフェース部１０３へ出力し、その情報を外部機器から前記未設定項目へ反映するか否かの判断をユーザ３の機器操作１２４で行い、結果をユーザ選択１３５として折り返し受け取り、反映をすることを指示された場合には同期用ユーザ情報１３２を外部設定情報１３１で更新し、更新した同期用ユーザ情報１３２を設定情報記憶部１０４へ書き戻すことによって、映像機器１の設定を可能にする設定情報比較部である。
なお、機器設定情報１３６には、ユーザ３の画質や色合いに対する好み、映像機器が置かれているその地域で放送を受信する際の周波数やチャンネルの設定、また視聴制限（ペアレントコントロール）の設定、あるいはハードディスク等への録画機能を有した映像機器では、録画する際の格納先を管理するフォルダおよびその階層構造などの、当該映像機器の動作や管理に関わる設定が含まれる。
【００２０】
図２は、本発明の第一実施例に係わるユーザインターフェース部１０３に表示された映像の例であり、ここでは天気予報の例を示している。
図３は、本発明の第一実施例に係わるユーザインターフェース部１０３に表示された映像の例であり、ここでは双方向番組の例を示している。
図４は、本発明の第一実施例の動作を補足説明する第一の例示であり、映像機器１に外部機器Ａ５の設定情報を反映させる最も基本的なものである。
図５は、本発明の第一実施例の動作を補足説明する第二の例示であり、図４の例示に対する違いは、設定情報比較部１１０が外部設定情報１３１との比較を実行する際、設定情報記憶部１０４に記憶されている項目の中でも、ユーザ３が情報設定をしていない未設定項目を探し出して設定情報の更新処理をすることである。
図６は、本発明の第一実施例の動作を補足説明する第三の例示であり、前記図４または図５との違いは、ユーザ３が設定情報記憶部１０４の設定項目に、外部機器Ａ５との同期処理を禁止する「設定禁止」フラグを設定可能なことである。
【００２１】
以下、本発明の実施の形態について図１および図４から図６を用いて説明する。
図１に示すように、ホームネットワーク４に外部機器Ａ５が接続され、ユーザ３が新たに購 入した映像機器１を接続し、初期設定を行おうとしているところである。
設定情報同期部１０７の設定情報取得部１０９は、ホームネットワーク４に接続されたことをネットワークインターフェース部１０８を介して検出すると、情報要求１３０を使ってホームネットワーク４上の外部機器Ａ５へ同機器に設定されている機器情報を映像機器１へ送信するように要求する。外部機器Ａ５は前述の通り情報要求１３０を受信すると、映像機器１と同様に記憶しているユーザ情報や機器設定情報を外部設定情報１３１として、ホームネットワーク４を介して映像機器１へ送信し、送信された外部設定情報１３１はネットワークインターフェース部１０８を介して、設定情報取得部１０９が受信、さらに設定情報比較部１１０へ入力される。  
また、設定情報同期部１０７の設定情報比較部１１０は上記と並行して、設定情報記憶部１０４から同期用ユーザ情報１３２と同期用機器設定情報１３３を取り出す。そして、これら各設定情報に含まれる各種の設定項目について、先に取り込んだ外部設定情報１３１と比較をし、各設定内容の差異の検出を実行する。そして差異を検出した後は、それらを後述するように適切なメッセージを用いて、ユーザインターフェース１０３によりユーザ３へ設定が異なること、あるいはどの項目がどのように異なるのか提示をするとともに、設定内容更新の指示入力をユーザ３に促すように動作する。
【００２２】
ここで以上に説明した設定内容の比較と更新についての動作例を、ユーザ３に提供する操作画面を用いて３種類示す。まず図４では、設定項目が氏名、郵便番号、住所、電話番号となっており、本例示ではこれらの項目について無条件に映像機器１の設定状態を外部機器Ａ５の設定状態と比較し、設定内容に違いがある全ての項目を検出し、次いでこの結果を図４（ａ）に示すようにユーザ３へ提示している。さらに図４（ａ）では、ユーザインターフェース部１０３に対するユーザ３の機器操作１２４を利用して、差異の有ったどの項目について前述の外部設定情報１３１の内容を取込むのか否か、ユーザ３が指示を出来るようにしている（図中「ＣＨ」で示したカラムで×印を付けて指定）。
【００２３】
そして、取込み指定を行った後、ユーザインターフェース部１０３に表示された指示に従って、例えばリモコンに上の青ボタンを押下すると、設定情報比較部１１０はユーザ３によって取込みを指示された項目（図４では「氏名」「郵便番号」「住所」の３項目）について外部設定情報１３１から設定情報を取得し、元々各項目を含んでいた同期用ユーザ情報１３２または同期用機器設定情報１３３の該当項目部分の内容を更新し、その結果を図４（ｂ）のようにユーザ３へ一旦提示し、次いで前記青ボタン押下によって反映を確定されると、設定情報記憶部１０４へ同期用ユーザ情報１３２と同期用機器設定情報１３３を出力し、映像機器１の設定情報を更新できるようになっている。
このように動作することによって、ユーザ３は新しく購入した映像機器１の初期設定を、機器のネットワークへの接続と、少しの手間をかけるだけで完了することが可能になり、使い勝手の向上を期待できる。
【００２４】
また前述の図４以外にも次に示す図５のような動作も考えられる。
図５では（ａ）に示すように映像機器１と外部機器Ａ５の前記４つの設定項目がそれぞれ設定されている。本例で設定情報比較部１１０は、差異を検出する際に、全ての項目を無条件に探索するのではなく、映像機器１で「未設定」のフラグが立っている項目だけを検索対象にするように動作し、これら未設定項目に対応する外部機器Ａの設定情報を外部設定情報１３１から取り出し、これを図５（ｂ）に示すようにユーザ３へ提示し、次いでユーザ３の確認を青ボタンの押下により得ると、先の例示図４と同様に該当設定項目を更新し、設定情報記憶部１０４へ更新された同期用ユーザ情報１３２と同期用機器設定情報１３３を出力し、映像機器１の設定情報を図５（ｃ）に示すように更新する。本例示のように未設定の項目だけを対象にすると、無条件に設定を比較する場合よりも、効率的に設定を完了させることが可能である。なお本例示では、更新についてユーザ３による個別の指示を促していないが、もちろんそのようにしても良い。
【００２５】
またさらに次の図６に示すような動作も例示する。
図６では図示しないが、設定情報比較部１１０が同期処理を除外する項目をフラグにより認識する機能を有するこのとにより、（ａ）に示すように、ユーザ３の機器操作１２４あるいは機器製造時に映像機器１の特定の設定項目に対して、予めその項目の同期処理を禁止することを示すフラグ、「設定禁止」を設定（本例示では「氏名」にフラグを設定）可能となる。本例示では、「氏名」に同フラグが設定されているので、同期の対象となる設定項目は、残りの住所と電話番号となる（図５の動作も含むとして）。従って、映像機器１と外部機器Ａ５の間で設定項目の比較を実行すると、図６（ｂ）のようにユーザインターフェース部１０３には表示がされ、次いでユーザ３の確認を青ボタンの押下により得ると、設定禁止項目以外について先の例示図４および図５と同様に該当設定項目を更新し、次いで設定情報記憶部１０４へ更新された同期用ユーザ情報１３２と同期用機器設定情報１３３を出力し、映像機器１の設定情報を図６（ｃ）に示すように更新することが可能になる。本例示のように設定禁止項目を設定できるようにすることにより、同期処理により不用意に設定が更新され、ユーザ３にとって予想外の動作を映像機器１が実行するのを防止することが可能になる。もちろん、フラグの設定・解除にパスワードなどを設けることにより、故意に設定を変更させるようなことを防止する機能を設けるのも可能なことは容易に類推できる。
【００２６】
以上、本実施例によればユーザ３は新しく購入した映像機器１の初期設定を、機器のネットワークへの接続（ステップ１）、差異項目の検出結果確認と取込み項目の指定（ステップ２）、そして最後に更新の実行（ステップ３）、の３ステップを実行するだけで簡単に完了させることが可能になり、非常に使い勝手が向上することが期待できる。
【実施例２】
【００２７】
図７は、本発明の第二実施例に係わるホームネットワーク４に接続された複数台の外部機器および映像機器を示している。なお、本実施例において第一実施例と同じ機能には同じ符号付し、説明を割愛する。
【００２８】
本実施例は、設定情報の同期対象である映像機器１に対して、外部機器が４台（Ａ、Ｂ、Ｃ、Ｄ）ある場合である。今、それぞれの外部機器には図８（ａ）に示すような設定がそれぞれされている。そして、本実施例の構成が実施例１と異なる点は、図示しないが、映像機器１がホームネットワーク４に接続された際に、映像機器１の設定情報取得部１０９が、外部機器Ａ〜Ｄのそれぞれで保持している設定情報を、ホームネットワーク４経由で映像機器１へ送信するように指示する情報要求１３０を、外部機器Ａ〜Ｄへ順次送信する機能を備え、また映像機器１の設定情報比較部１１０が、前記すべての外部機器から送信された外部設定情報１３１を順次受信する機能を備え、さらに同設定情報比較部１１０は実施例１と同様に設定情報記憶部１０４から同期用ユーザ情報１３２と同期用機器設定情報１３３を取り出した後に、前記外部機器Ａ〜Ｄに設定されている各設定項目について、４台のうちで最も多い台数に設定されている設定情報を外部機器Ａ〜Ｄの代表設定情報として選定（すなわち多数決により決定）する機能を備える点である。
【００２９】
これらの機能により、例えば図８（ａ）のような場合、前記多数決判定の結果は同（ｂ）のようになる。ただし、本例示では設定項目「氏名」の設定台数が、「日立太郎」も「日立花子」も同じ２台づつとなっており、このままでは設定情報比較部１１０が設定情報を１つに絞り込めない。そこで、本実施例では図８（ｂ）に示すように２つの候補を併記し、設定情報比較部１１０がこれを受けた設定情報比較結果１３４をユーザインターフェース１０３へ送り、図９（ａ）に示すようなメッセージの表示を行い、二者択一をユーザ３に行わせるようにしている。そして、例えばユーザ３が選択肢Ａを指定した場合には、設定項目「氏名」に対する設定内容は「日立太郎」となり、次いでリモコンの青ボタンによって設定を確定すると、最終的に映像機器１の設定情報記憶部１０４には図９（ｂ）に示すような内容が設定されることになる。
【００３０】
以上、本実施例によればホームネットワークに複数の機器が接続された環境においても、ユーザは追加する映像機器の初期設定を、適切にかつ簡単に行うことが可能になる。
なお、図８に示すように本実施例では「未設定」を多数決の判断に含めていないため、郵便番号については外部機器Ａ５に設定されていたものが優先されるように動作しているが、もちろん未設定も多数決の判断に含めてよく、その場合、外部機器Ｂ、Ｃ、Ｄの３つが「未設定」で多数を占めることから、最終的に映像機器１の郵便番号が「未設定」に更新される。
【実施例３】
【００３１】
図１０は、本発明の第三実施例に係わる外部機器および映像機器を示している。なお、本実施例において第一実施例と同じ機能には同じ符号付し、説明を割愛する。
本実施例は、設定情報の同期対象である映像機器１に対して、ホームネットワーク４に既設の外部機器が複数ある場合であるが、本例が第二実施例と異なる点は、既設の外部機器の内の１台が、他のすべての機器から機器情報を参照される親機器になっている点である。今、図１０（ａ）記載の通り親機器が外部機器Ａ５であり、この外部機器Ａ５には図１０（ｂ）に示すような設定がされているとする。
【００３２】
そして、図示しないが、映像機器１にはホームネットワーク４に接続された際に、映像機器１の設定情報取得部１０９が、外部機器Ａ〜Ｄのいずれが親機器であるのか認識するために、例えば探索メッセージを送信する機能を備え、また外部機器側にも映像機器１からの探索メッセージに応答する機能を備える。
【００３３】
したがって、ユーザ３が映像機器１をホームネットワーク４に接続すると、まず設定情報取得部１０９が親機器を捜すための探索メッセージをホームネットワーク４上の各外部機器へ送信し、本実施例の場合、そのメッセージに対して外部機器Ａ５が応答を返信することによって、映像機器１は外部機器Ａ５が親機器であると認識する。この後の、設定情報の要求、取り寄せ、比較、そして更新の手順はすでに第一実施および第二実施例で説明したものと同じである。よって、映像機器１をホームネットワーク４に接続すると、映像機器１には親機器である外部機器Ａ５から取り寄せた外部設定情報１３１の内、設定済みの郵便番号を除く外の設定情報が反映されることになる。
以上、本実施例によれば、親機器となる外部機器を予め用意する必要はあるが、後で追加する映像機器の初期設定は、ホームネットワーク４に接続するだけで済ませることが可能になる。
【００３４】
なお、上記実施例では説明していないが、例えば引越しをしたような際、ホームネットワーク４に接続していた機器の設定を一斉に見直す必要が生じる場合がある（特に放送受信時の周波数やチャンネル変更など地域性を伴う情報）。このような場合、本実施例によれば、実際に設定の変更が必要になるのは前記親機器だけであり、他の機器はホームネットワーク４に接続するだけですべての設定の変更設定を完了させることが可能になるので、手間が省けるだけでなく煩雑で無くなる分設定を間違える可能性も少なくすることが出来るので、使い勝手が向上する。
【００３５】
また、これも図示していないが、親機器となる機器は、上記のような認識と同期処理をすることを前提とした場合、通常ホームネットワーク４上に一つだけ置かれるべきである。しかし、映像視聴や記録について同じ機能を有するにも関わらず、親機器としての機能を備えた製品と、備えない製品が存在するのは機器製造者として合理的とは言えない。また、ユーザ側にも分かりづらさを生む原因となる可能性がある。そこで、本発明では、基本的にすべての映像機器および外部機器は親機器としての機能を備え、その代わりに機器設定情報１３６として設定する中に当該機器を「親機器」として機能させるか否かを設定できる項目を設け、かつこの項目が同期処理によってユーザ３の意に反して変更されることを防止するために、第一実施例の補足説明、図６に示した「設定禁止」フラグを設定できるようにする。これにより、ユーザ３が必要に応じて何れかの機器を親機器として設定することを実現できる。もちろん、２台以上の親機器が同じホームネットワーク４上に現れた場合は、どちらかの設定をオフにするように、ユーザインターフェース部１０３にメッセージを表示することは容易に出来る。
【実施例４】
【００３６】
図１１は、本発明の第四実施例に係わる映像機器１の設定情報同期部１０７を示している。なお、本実施例において第一実施例と同じ機能には同じ符号付し、説明を割愛する。
本実施例では、設定情報の同期処理を行うタイミングをホームネットワーク４への接続時ではなく、タイマ部１１１に予めユーザ３が設定した時間間隔によって周期的に同期処理を実行する。同期処理は前述のタイマ部１１１が設定情報取得部１０９に対して、情報取得部起動信号１３７を送信することからスタートする。
【００３７】
これに対して、設定情報取得部１０９は前記情報取得部起動信号１３７を受信して、情報要求１３０をホームネットワーク４へ送信する機能を備えている。ひとたび上記のように設定情報取得部１０９が情報要求１３０を送信すると、これ以降の動作はすでに第一実施例から第三実施例にまで説明した動作と同様に、外部設定情報１３１をネットワーク４上の外部機器Ａ５から受け取り、これを設定情報比較部１１０が設定情報記憶部１０４に記憶している設定情報と比較して、ユーザ３へ比較結果をユーザインターフェース部１０３を介して提示し、ユーザ３の確認操作を受けて、最終的に設定の反映を完了させる。
【００３８】
ただし、上記手順が実行される度に、ユーザ３へ確認操作を求めることは、返って煩雑になることもあることから、図１１に図示しないが、設定情報記憶部１０４に前記確認を毎回ユーザに求めるか否かを設定できるようにし、本設定が「確認を求めない」と設定されている場合には、設定情報比較部１１０は反映した内容を履歴情報として残した上で、ユーザ３から確認操作を受けたのと同じ処理を自動的に行うようにしても良い（履歴を残すことによって、ユーザ３は最新の設定状態がどのように外部機器から反映されたのかいつでも確認できるようになる）。なお、第三実施例と同様に、この項目が同期処理によってユーザ３の意に反して変更されることを防止するために、第一実施例の補足説明、図６に示した「設定禁止」フラグを設定できるようにする。
【００３９】
以上、本実施例によれば予め設定された時間間隔で、設定情報の変更が外部機器に対して行われていないか否か自動的に確認されるので、同じホームネットワーク４に接続されている映像機器１の設定状態を煩雑な手間をかけることなく、常に他の機器と合わせて置くことが可能になる。
【実施例５】
【００４０】
図１２は、本発明の第五実施例に係わる映像機器１と外部機器Ａ５の設定項目の互換性を確認可能なように構成されたシステムを示している。本実施例では、設定情報の同期処理を行う際に、外部機器Ａ５が保持している設定項目と映像機器１が保持している設定項目の対応関係において、外部機器Ａ５が記憶する設定項目から反映可能な項目を予め確認し、本確認結果に基づいて設定情報の反映処理を実行できる。
【００４１】
図１２において、９は項目情報サーバで、各機器とは通信路によって接続されており、各機器の設定情報記憶部１０４に記憶されている各設定項目の、機器間での互換性を判断するために設定情報比較部１１０が利用する後述の項目互換性情報１３９を蓄積している。１０は、項目情報サーバ９と映像機器１または外部機器Ａ５を結ぶ通信路であり、本実施例では宅外に項目情報サーバ９が設置されていると仮定し、本通信路としてインターネットを示している。１３８は互換情報要求で、映像機器１が後述の項目互換性情報１３９を機器毎に項目情報サーバ９から取り寄せるための要求で、機器を指定する情報を含む。
【００４２】
１３９は前記項目情報サーバ９に蓄積される情報で、各機器の設定情報記憶部１０４が保持する設定項目の入力仕様（例えば文字列長、コード体系、値の限界値、単位、姓と名の順序など）を示した項目互換性情報であり、例えば「氏名」という設定項目が合った時、当該機器の「氏名」に関する項目互換性情報１３９を参照すると、漢字入力をサポートしているのか、何文字まで設定できるのか、といった入力仕様の違いを確認することができる。
【００４３】
また、設定情報比較部１１０には先の実施例で説明した設定内容の比較機能に加えて、項目互換性情報１３９から得られる情報を用いて、参照先機器（外部機器Ａ５）から取り寄せた外部設定情報１３１と映像機器１の設定情報間での設定互換性を判定し、互換性があると判定した項目だけ同期処理の対象として設定された情報の比較を実行する機能を備える（例えば、両方の機器の設定項目「氏名」の入力仕様が同じであると判定出来れば、項目「氏名」に設定された情報を比較し、その比較結果をユーザ３へ提示する）。なお、以下の本実施例において第一実施例と同じ機能には同じ符号付し、説明を割愛する。
【００４４】
以下、本発明の実施の形態について図１２を用いて説明する。
まず、第一実施例と同様に映像機器１はホームネットワーク４に接続されると、設定情報取得部１０９がホームネットワーク４を介して外部機器Ａ５へ情報要求１３０を送信し、外部機器Ａ５から外部設定情報１３１が設定情報取得部１０９へ返信されると、設定情報取得部１０９は外部設定情報１３１を設定情報比較部１１０へ入力、次いで設定情報比較部１１０が同期用ユーザ情報１３２と同期用機器設定情報１３３を設定情報記憶部１０４から呼出す。さらに設定情報取得部１０９は、ホームネットワーク４とインターネット１０を介して互換情報要求１３８を項目情報サーバ９へ送信し、項目情報サーバ９から互換情報要求１３８で指定した機器の項目互換性情報１３９を取得する。取得した項目互換性情報１３９は設定情報比較部１１０において前述の通り各機器間での互換性が判定され、互換性があると判定された項目についてだけ情報の比較が実行され、その結果を設定情報比較結果１３４としてユーザインターフェース部１０３へ出力する。
【００４５】
以上、本実施例によれば、例えば機種が世代を重ね同じ設定項目でも入力仕様が変更された場合、その項目を適切に比較対象から除くことが可能になる。また、仕様が変更された場合でも、新しい仕様が古い仕様を含むと確認が取れた場合には、少なくとも古い仕様で設定された情報は新しい仕様の項目でも正しく利用できると判断して、比較の対象に含めることも可能になる。したがって、項目情報サーバ９を設けることにより、設定項目の同期処理が思わぬ問題を起こすことを防止し、ユーザ３に安心して機器を利用する環境を提供可能になる。
【００４６】
なお、本実施例においては、項目情報サーバ９が一括して項目の入力仕様に関する項目互換性情報１３９を蓄積し、これを項目情報要求１３８に対して提供するように構成したが、それぞれの機器毎に項目互換性情報１３９を格納していてもよく、その場合は各機器が外部設定情報１３１を出力するのに合わせて項目互換性情報１３９も出力するようにすればよい。
【００４７】
また、項目互換性情報１３９の同期には様々なプロトコルの利用が考えられるが、例えばXML(eXtensible Markup Language)を利用すれば、インターネットとの相性もよく、項目情報サーバをサービスとして運用する際もフレキシブルにシステムを構築可能である。
【実施例６】
【００４８】
図１３は、本発明の第六実施例に係わる映像機器１とネットワーク接続された複数の外部機器で構成されたシステムを示している。本実施例では、同一のホームネットワーク４に接続されている場合でも、設定項目の比較・同期を実行する対象機器を予め「グループ」として登録する点が他の実施例と異なる。ここでグループを形成するポリシーは、例えば部屋単位や機器の種類（DVDレコーダ同士、TVとHDDレコーダなど２台以上での組合せ）、または製造メーカ別、さらにはユーザ別（家族、学校、兄弟）等を適用できる。
【００４９】
図１３では、映像機器１と外部機器Ａ５、および外部機器Ｂ６がグループＡ１１として定義され、また外部機器Ｃ７と外部機器Ｄ８はグループＢ１２を形成しているが、グループの形成は、例えばネットワークインターフェース部１０８または設定情報取得部１０９に同じグループポリシーを持つ相手機器のアドレス（例えばIPアドレス）を予め設定することで実現したり、ネットワーク上にグループ化を制御するサーバを設置し、ここに問い合わせをして所属するグループ内の接続相手機器先を取得することで実現する。なお、本実施例において第一実施例と同じ機能には同じ符号付し、説明を割愛する。
【００５０】
本実施例では、上記のように特定のポリシーによりグループを形成することにより、ホームネットワーク４に複数の機器が接続された状態でも、設定項目内容の比較と同期が同じグループ内の機器同士に限定されるように動作する。
もちろん、一度接続が成されれば、その後の設定情報の比較や機器間での反映に関する機能のすべてを、すでに他の実施例にて説明したのと同様に利用可能であることは言うまでもない。
【００５１】
なお図示はしないが、ネットワークが複数にまたがるような場合（例えば、前記グループＡ１１に属する三つの機器がそれぞれ異なるネットワークに接続されているような構成）でも、論理的にグループＡ１１としての管理が可能であれば、そのネットワークの物理的距離に関係なく機器間での参照に意味のある範囲において、外部設定情報１３１の送受信が可能である。  
例えば東京都内において、２３区内と多摩地区で同じ東京タワーから放送受信をしている機器が有る場合、郵便番号や住所のような地域性を伴うユーザ情報１２５を同期させることは意味を成さないが、チャンネル設定情報のように、同じ東京タワーからの電波を受信することに関しては、その設定について同期することに意味がある。よって、映像機器１を持つユーザ３の友達や親の所有する外部機器が別のホームネットワーク４に接続されていても、当該外部機器にユーザ３と同じく東京タワーから受信するように設定できているとしたら、前述のグループ設定において当該映像機器と外部機器を同じグループにすることによって、機器設定情報１３６を更新する情報を前記外部機器から取り寄せ、ユーザ３の映像機器１の設定を簡略することが可能になる。
【実施例７】
【００５２】
図１４は、本発明の第七実施例に係わる放送等の録画機能を有する映像機器１および、ネットワーク接続された同じく録画機能を備えた外部機器の中に設定された録画コンテンツを管理するためのフォルダ構成を示している。
【００５３】
これらのフォルダ構成を示す情報は、各機器の機器設定情報１３６に含まれているとする。フォルダによる録画コンテンツの管理はユーザが録画コンテンツの検索等をしやすくすることを目的としてよく利用される機能であるが、例えば、映像機器１で音楽のコンテンツを録画した際、そのジャンルがクラシックであれば、図１４の上段に図示するようにそのコンテンツは「ルート」−＞「音楽」−＞「クラッシック」の下に格納され、ユーザ３がクラシック関連のコンテンツを再生視聴したいと思えば、このクラシックフォルダの中を検索すれば、直ぐに目的のコンテンツを見つけることを可能にする。
【００５４】
ジャンル分けはこのように便利な機能であり、その設定は例えば機器の工場出荷時に代表的な物をプリセットしておいたり、放送の付加情報を元に自動設定することは可能であるが、ユーザの利用シーンをすべて満たすことは出来ないので、どうしてもユーザによる購入後の設定が必要となる。しかし、このような設定を機器の購入の度、または新しいフォルダを設定したいと思った際に、その設定を所有するすべての機器へ順番に行うのは非常に煩雑と言える。
【００５５】
そこで、本発明においては、ホームネットワーク４を介した機器設定情報１３６の同期処理により、このような煩雑な操作を軽減する。具体的には、外部機器Ａ５から取り寄せた外部設定情報１３１と、映像機器１の設定情報記憶部１０４から取り出した同期用機器設定情報１３３のそれぞれに設定されたフォルダ情報を、フォルダ情報の先頭に当たる「ルート」から順次同じ階層レベルにおいて比較し、参照先の外部機器Ａ５に存在し映像機器１には無いフォルダを検出する機能を設定情報比較部１１０に備え、その検出結果は既に他の実施例で例示したようにユーザインターフェース部１０３でユーザ３に提示され、ユーザ３に対してその違いを映像機器１へ反映すか否かを判断させるように動作する。
【００５６】
上記動作を図１４でさらに説明する。図１４に示すように、外部機器Ａ５はすでにユーザ３が所有している機器で、ポップス、映画、クイズなどいろいろなジャンルのフォルダが既に設定されている。一方、映像機器１はユーザ３が新規に購入した機器で、これには例えば工場出荷設定としてルートの下に、図示したようなフォルダが設定されている。ここで、映像機器１がホームネットワーク４に接続されると、前述したように設定情報取得部１０９を介して取得した外部設定情報１３１と同期用機器設定情報１３３が設定情報比較部１１０で比較される。すると、映像機器１には「ルート」直下の「映画」「教育」「クイズ」、また「音楽」の下に「ポップス」「ロック」が無いことが検出され、これがユーザ３へ提示される。ここでユーザ３が例えば全ての設定を映像機器１へ反映するように指示すると、設定情報比較部１１０は既に検出していた差分を同期用機器設定情報１３３へ反映する。すると、映像機器１のフォルダ構成は図１４の下段に示したような構成に変更されることになる。
【００５７】
以上のように、ユーザ３の所有する既存の機器の設定を、簡単に新規設置する機器に反映させることが可能となる。
なお、もちろん映像機器１に存在して外部機器Ａ５に無いフォルダについても、同期処理の立場を入れ替えることで、外部機器Ａ５に映像機器１の設定を反映させることが可能なことは明らかである。また、反映するフォルダを一つ一つユーザが指定できるようにすることも可能である。
【００５８】
また、さらに本実施例は「フォルダ」に関して示したが、機器設定情報１３６には前述のように、ユーザ３の画質や色合いに対する好み、また視聴制限（ペアレントコントロール）の設定などもあり、これらについても上述の各実施例同様に機器同士で比較、反映をすることが可能であり、これにより機器設定の使い勝手を改善出来る。
また、上記の各実施例において機器の設定情報は全てネットワークを介して送受信されるように説明したが、設定情報を取り外し可能な記憶媒体にコピーするなどして、記憶媒体を介して設定情報の取り寄せをするように構成しても、得られる効果は基本的に同じである。
【産業上の利用可能性】
【００５９】
映像機器に限らず、ネットワーク接続、あるいは取り外し可能な記憶媒体を利用できる機器において、ユーザの必要に応じて各機器に同じ設定を施す必要がある製品に対して、同じ原理の適用が可能である。
【図面の簡単な説明】
【００６０】
【図１】本発明の第一実施例に係わるシステム構成概要図である。
【図２】本発明の第一実施例に係わる補足説明図である。
【図３】本発明の第一実施例に係わる補足説明図である。
【図４】本発明の第一実施例に係わるメッセージの例である。
【図５】本発明の第一実施例に係わる設定状態と表示するメッセージの例である。
【図６】本発明の第一実施例に係わる設定状態と表示するメッセージの別の例である。
【図７】本発明の第二実施例に係わる構成概要図である。
【図８】本発明の第二実施例に係わる各機器の設定状態の例である。
【図９】本発明の第二実施例に係わるメッセージ例と設定状態の例である。
【図１０】本発明の第三実施例に係わる構成概要図と設定状態の例である。
【図１１】本発明の第四実施例に係わるタイマ利用のシステム構成概要図である。
【図１２】本発明の第五実施例に係わるシステム構成概要図である。
【図１３】本発明の第六実施例に係わるネットワークとグループ構成の例である。
【図１４】本発明の第七実施例に係わるフォルダ構成の例である。
【符号の説明】
【００６１】
１  映像機器
２  放送局
３  ユーザ
４  ホームネットワーク
５  外部機器Ａ
１０１  放送受信部
１０２  映像放送処理部
１０３  ユーザインターフェース部
１０４  設定情報記憶部
１０５  データ放送処理部
１０６  通信制御部
１０７  設定情報同期部
１０８  ネットワークインターフェース部
１０９  設定情報取得部
１１０  設定情報比較部
１２０  放送
１２１  放送情報
１２２  映像
１２３  放送視聴
１２４  機器操作
１２５  ユーザ情報
１２６  天気予報
１２７  双方向番組
１２８  入力選択情報
１２９  応答情報
１３０  情報要求
１３１  外部設定情報
１３２  同期用ユーザ情報
１３３  同期用機器設定情報
１３４  設定情報比較結果
１３５  ユーザ選択
１３６  機器設定情報
【図１】
0004839964.tif 000002
【図２】
0004839964.tif 000003
【図３】
0004839964.tif 000004
【図４】
0004839964.tif 000005
【図５】
0004839964.tif 000006
【図６】
0004839964.tif 000007
【図７】
0004839964.tif 000008
【図８】
0004839964.tif 000009
【図９】
0004839964.tif 000010
【図１０】
0004839964.tif 000011
【図１１】
0004839964.tif 000012
【図１２】
0004839964.tif 000013
【図１３】
0004839964.tif 000014
【図１４】
0004839964.tif 000015